(57)【要約】【課題】回転機構を有するスタンド式薄型表示装置において、表示画面部を水平に保つための位置調整機構を提供する。【解決手段】表示画面部と、該表示画面部を支持するスタンド部とを備えた薄型表示装置であって、前記スタンド部と前記本体部とを取り付けるための取り付け部材を有しており、前記取り付け部材は、前記スタンド部と前記本体部とをネジ止めするための１以上の固定孔と、前記スタンド部と前記本体部との取り付け位置を調整するための位置調整孔と、を含んでおり、前記位置調整孔に偏心カムを挿入することにより、前記スタンド部と前記本体部との取り付け位置を調整する薄型表示装置。【選択図】　　図７
2004112234.tif 000002
【特許請求の範囲】
【請求項１】
スタンド部により本体部を支持している機器であって、
前記スタンド部と前記本体部との取り付け部分において、前記スタンド部及び前記本体部の取り付け位置を調整する手段を有している機器。
【請求項２】
表示画面部と、該表示画面部を支持するスタンド部とを備えた薄型表示装置であって、
前記スタンド部と前記表示画面部との取り付け部分において、前記スタンド部及び前記本体部の取り付け位置を調整する位置調整手段を有している機器。
【請求項３】
前記スタンド部と前記表示画面部との取り付けは仮固定とし、前記位置調整手段により取り付け位置を調整した後に、前記スタンド部と前記表示画面部とを本固定することを特徴とする請求項２に記載の薄型表示装置。
【請求項４】
前記位置調整手段は、前記取り付け部分に偏心状の部材を備えてなることを特徴とする請求項２に記載の薄型表示装置。
【請求項５】
表示画面部と、該表示画面部を支持するスタンド部とを備えた薄型表示装置であって、
前記スタンド部と前記本体部との取り付け位置を調整するための位置調整機構を備えており、
前記位置調整機構は、
前記スタンド部と前記本体部とを固定するための１以上の固定手段と、
前記スタンド部と前記本体部との取り付け位置を調整するための位置調整手段と、を含んでいる薄型表示装置。
【請求項６】
前記位置調整機構は、前記スタンド部と前記本体部とを位置決めするための位置決めピンをさらに含んでいることを特徴とする請求項５に記載の薄型表示装置。
【請求項７】
表示画面部と、該表示画面部を支持するスタンド部とを備えた薄型表示装置であって、
前記スタンド部と前記本体部とを取り付けるための取り付け部材を有しており、前記取り付け部材は、
前記スタンド部と前記本体部とをネジ止めするための１以上の固定孔と、
前記スタンド部と前記本体部との取り付け位置を調整するための位置調整孔と、を含んでおり、
前記位置調整孔に偏心カムを挿入することにより、前記スタンド部と前記本体部との取り付け位置を調整する薄型表示装置。
【発明の詳細な説明】
【０００１】
【発明の属する技術分野】
本発明はスタンド式の薄型表示装置の位置調整機構に関し、特に、回転機構を有する大型のスタンド式薄型表示装置において、表示画面部を水平に保つための位置調整機構に関するものである。
【０００２】
【従来の技術】
近年、液晶ディスプレイ又はプラズマディスプレイ等の表示画面を有するスタンド式の薄型表示装置が普及している。特に、３０インチを超える表示画面部を有する大型のスタンド式薄型表示装置に対する需要が高まっており、業務用又は家庭用に様々な商品が開発されている。
【０００３】
このようなスタンド式薄型表示装置では、液晶ディスプレイ又はプラズマディスプレイからなる表示画面部と、アンプ、電源ユニット、駆動回路など装置類とを含んだ本体部を、水平面に脚部が張り出したスタンド部で支持する構造により、表示画面部が床面にほぼ垂直に直立できるような構成となっているのが典型的である。さらに、スタンド部は回転機構を有しており、本体部を回動自在に軸支するようになっている。
【０００４】
図１は、上記のスタンド式薄型表示装置の一例を示す正面図である。図１において、薄型表示装置１００は、表示画面部１１０と、本体部１２０と、スタンド部１３０とから構成されるコンソールタイプの薄型表示装置である。ここでコンソールタイプとは、電源ユニット、駆動回路、制御回路等を含むコントロール部１２１と、アンプ部１２２とを本体部１２０として構成し、これを表示画面部１１０と一体化したタイプの薄型表示装置のことを言う。
【０００５】
表示画面部１１０は、液晶ディスプレイ又はプラズマディスプレイ等からなる表示画面１１１を有している。本体部１２０は、コントロール部１２１とアンプ部１２２とを有しており、表示画面部１１０と一体化されるとともに、スタンド部１３０に軸支されている。スタンド部１３０は、スタンド支柱１３１とスタンドベース１３２とからなっている。スタンド支柱１３１は本体部１２０を回転自在に支持できるような回転機構を備えている。
【０００６】
従来、このようなスタンド式薄型表示装置の回転機構の例として、特許文献１に開示されているテレビの回転機構などが考えられていた。この回転機構では、テレビ本体の荷重を支え、該テレビ本体をころがせるすべりローラ７をテレビ本体の底部の両側辺端部に配置し、このすべりローラ７がテレビ台１３上面を転がることによりテレビ本体が回転するという構成を特徴としている。
【０００７】
しかしながら、上記した特許文献１に記載のテレビの回転機構を、スタンド式薄型表示装置の回転機構に応用するのは困難である。特許文献１に記載の回転機構では、テレビ本体とローラとがころがって回転するため、テレビ本体及びテレビ台にある程度の幅及び奥行きがなければならない。また、テレビ本体とテレビ台の間に隙間が生じてしまう、テレビ本体が回転するとテレビ台の内部が見えてしまうなどの問題もある。
【特許文献１】
特開平０８−３３１４８５号公報（第６図）。
【０００８】
【発明が解決しようとする課題】
スタンド式薄型表示装置が大型化するに伴って、表示画面部が大きくなり相当な重量をスタンド部において支えなければならなくなる。このとき、表示画面部を水平に保持する必要がある。特に、大型のスタンド式薄型表示装置の場合には、水平位置が僅かに傾いているだけでも、幅広い表示画面部の左右の端の高さの差が大きくなるため、ユーザの目には水平位置が大きく傾いているように見えてしまう。例えば、ある大型液晶テレビでは、水平位置に２０分（約３分の１度）以上の傾きがあると、ユーザの目には傾きが認識されてしまうことが分かっている。
【０００９】
また、スタンド式薄型表示装置は、典型的には、本体部がスタンド部に対して手動又は自動で回転できるように構成されているが、回転の際に本体部が左右に振れないように水平位置を安定させる必要がある。
【００１０】
しかしながら、本体部の水平位置をいくら精密に設計しても、実際には各部品の寸法に僅かなバラ付きが生じたり、組み立て時に各部品間の位置決めに僅かな誤差が生じてしまったりするので、本体部の水平位置を設計通りに精密に保持したスタンド式薄型表示装置を製造するのは非常に困難なものとなっている。
したがって、本発明は上記の問題点に鑑みて、回転機構を有するスタンド式薄型表示装置において、表示画面部を水平に保つための位置調整機構を提供するものである。
【００１１】
【課題を解決するための手段】
本発明は、スタンド部により本体部を支持している機器であって、前記スタンド部と前記本体部との取り付け部分において、前記スタンド部及び前記本体部の取り付け位置を調整する手段を有している機器を提供するものである。
【００１２】
また、本発明は、表示画面部と、該表示画面部を支持するスタンド部とを備えた薄型表示装置であって、前記スタンド部と前記表示画面部との取り付け部分において、前記スタンド部及び前記本体部の取り付け位置を調整する位置調整手段を有している機器を提供するものである。
【００１３】
前記スタンド部と前記表示画面部との取り付けは仮固定とし、前記位置調整手段により取り付け位置を調整した後に、前記スタンド部と前記表示画面部とを本固定することを特徴とする。また、前記位置調整手段は、前記取り付け部分に偏心状の部材を備えてなることを特徴とする。
【００１４】
本発明は、また、表示画面部と、該表示画面部を支持するスタンド部とを備えた薄型表示装置であって、前記スタンド部と前記本体部との取り付け位置を調整するための位置調整機構を備えており、前記位置調整機構は、前記スタンド部と前記本体部とを固定するための１以上の固定手段と、前記スタンド部と前記本体部との取り付け位置を調整するための位置調整手段と、を含んでいる薄型表示装置を提供するものである。
前記位置調整機構は、前記スタンド部と前記本体部とを位置決めするための位置決めピンをさらに含んでいることを特徴とする。
【００１５】
本発明は、さらに、表示画面部と、該表示画面部を支持するスタンド部とを備えた薄型表示装置であって、前記スタンド部と前記本体部とを取り付けるための取り付け部材を有しており、前記取り付け部材は、前記スタンド部と前記本体部とをネジ止めするための１以上の固定孔と、前記スタンド部と前記本体部との取り付け位置を調整するための位置調整孔と、を含んでおり、前記位置調整孔に偏心カムを挿入することにより、前記スタンド部と前記本体部との取り付け位置を調整する薄型表示装置を提供するものである。
【００１６】
【発明の実施の形態】
以下、添付図面を参照しながら、本発明の実施の形態を詳細に説明する。
本発明の位置調整機構は、典型的には、図１に示したようなスタンド式薄型表示装置のスタンド支持部において用いるものである。図２〜図７は、図１に示したスタンド式薄型表示装置の各部分の構成例であって、各図中、同一の符号を付した構成部分は同一のものを表わしているものとする。
【００１７】
以下、本発明の位置調整機構の一実施形態について説明する。図２は、本実施形態の位置調整機構を含むスタンド式薄型表示装置の表示画面部及び本体部を支持するためのフレーム構造を示す図である。
【００１８】
図２に示すように、このスタンド式薄型表示装置では、スタンド部の回転ユニット２１０が取り付けアングル２２０を介してアルミフレーム２３０を回転自在に支持している。
本実施形態の位置調整機構は、回転ユニット２１０及びこれに固定された取り付けアングル２２０をアルミフレーム２３０に位置決めして固定するものである。
【００１９】
図３、図４及び図５は、それぞれ、図２に示したスタンド部の回転ユニット２１０及び取り付けアングル２２０を拡大して示す背面図、側面図及び上面図である。
図３〜図５において、取り付けアングル２２０は、位置決めピン３１０、固定孔３２１〜３２６、及び位置調整孔３３１〜３３２を有している。位置決めピン３１０は、アルミフレーム２３０を貫通してくる前面パネル（プラスチック）からのボス２３１（図２参照）に係合して、取り付けアングル２２０をアルミフレーム２３０に取り付けるおよその位置を決めるためのものである。固定孔３２１〜３２６は、ネジを挿入して位置調整孔３３１〜３３２は、後に記載するように、取り付けアングル２２０とアルミフレーム２３０との取り付け位置を微調整するためのものである。
【００２０】
次に、回転ユニット２１０及び取り付けアングル２２０とアルミフレーム２３０との取り付けについて説明する。図６は、回転ユニット２１０及び取り付けアングル２２０とアルミフレーム２３０とを取り付けた状態での上面図である。
【００２１】
まず、取り付けアングル２２０の各位置決めピン３１０を、アルミフレーム２３０を貫通してくる前面パネル（プラスチック）からのの各ボス２３１に挿入して、取り付け位置を位置決めする。次に、固定孔３２１をネジ止めする。このとき、固定孔３２１のネジを中心に取り付けアングル２２０がアルミフレーム２３０に対して僅かに回転できる程度に、固定孔３２１をネジ止めしておく。続いて、他の固定孔３２２〜３２６を仮ネジ止めする。この時薄型表示装置本体の自重で自然に傾かないようなトルクで仮止めする。
【００２２】
次に、回転ユニット２１０及び取り付けアングル２２０とアルミフレーム２３０との取り付け位置を微調整する。図７は、図３同様の回転ユニット及び取り付けアングルの背面図であるが、位置調整孔３３１に偏心カム３４１を挿入した状態を示している。
【００２３】
本実施形態では、偏心カム３４１のネジ頭は卵型の形状をしている。したがって、偏心カム３４１を回転させるに伴って、ネジ頭の垂直方向の直径が変化することになる。図７において、偏心カム３４１を右方向に回転させると、垂直方向において直径が大きくなるため、位置調整孔３３１の上側の内壁は偏心カム３４１により上方向に押し上げられるようになる。
【００２４】
また、上記と反対方向に調整したい場合には、位置調整孔３３２に偏心カム３４１を装填し、これを左方向に回転することで、位置調整孔３３２の下側の内壁が偏心カム３４１により下方向に押し下げられるようになっている。
【００２５】
このとき、上記の通り、取り付けアングルは、固定孔３２１のネジ止めを軸にして僅かに回転するようになっている。したがって、偏心カム３４１を回転させながら、回転ユニット２１０及び取り付けアングル２２０とアルミフレーム２３０との取り付け位置を微調整することにより、薄型表示装置の表示画面部及び本体部が水平になるように位置を微調整することができる。
取り付け位置の微調整をした後は、仮ネジ止めしておいた固定孔３２２〜３２６を本ネジ止めして、回転ユニット２１０及び取り付けアングル２２０とアルミフレーム２３０とを本固定すればよい。
【００２６】
また、偏心カム３４１の形状は、回転中心に対して非対称な形状である限り、様々な形状に形成することが可能である。例えば、楕円形、偏心円形などの形状にしても、上記と同様な位置調整機構として機能することが可能である。
【００２７】
尚、図３及び図７に示した、取り付けアングル２２０上の固定孔３２１〜３２６及び位置調整孔３３１〜３３２の設置位置については、一実施形態に過ぎず、これ以外にも様々な実施形態を考えることができる。
【００２８】
以上、本発明の位置調整機構の一実施形態として、スタンド式薄型表示装置のスタンド支持部において用いる例を詳細に説明したが、本発明の位置調整機構は、スタンドにより支持されるあらゆる機器において応用が可能であると考えられる。
その他、本発明の位置調整機構は、上記した実施の形態に限定されるものではなく、本発明の要旨を逸脱しない範囲内において種々変更を加え得ることは勿論である。
【００２９】
【発明の効果】
以上、説明したように本発明の位置調整機構によれば、回転機構を有するスタンド式薄型表示装置において、表示画面部を水平に保つための微妙な位置調整を行うことが可能となる。
【図面の簡単な説明】
【図１】回転機構を有するスタンド式薄型表示装置の一例を示す正面図である。
【図２】本発明の位置調整機構を含むスタンド式薄型表示装置の表示画面部及び本体部を支持するためのフレーム構造を示す図である。
【図３】本発明の位置調整機構を含むスタンド式薄型表示装置の回転ユニット及び取り付けアングルを拡大して示す背面図である。
【図４】本発明の位置調整機構を含むスタンド式薄型表示装置の回転ユニット及び取り付けアングルを拡大して示す側面図である。
【図５】本発明の位置調整機構を含むスタンド式薄型表示装置の回転ユニット及び取り付けアングルを拡大して示す上面図である。
【図６】本発明の位置調整機構を含むスタンド式薄型表示装置において、回転ユニット及び取り付けアングルとアルミフレームとを取り付けた状態での上面図である。
【図７】図３同様の回転ユニット及び取り付けアングルの背面図であり、位置調整孔に偏心カムを挿入した状態を示す図である。
【符号の説明】
１００　　　　薄型表示装置
１１０　　　　表示画面部
１１１　　　　表示画面
１２０　　　　本体部
１２１　　　　コントロール部
１２２　　　　アンプ部
１３０　　　　スタンド部
１３１　　　　スタンド支柱
１３２　　　　スタンドベース
２１０　　　　回転ユニット
２２０　　　　アングル
２３０　　　　アルミフレーム
２３１　　　　ボス
３１０　　　　位置決めピン
３２１〜３２６　　　　固定孔
３３１，　３３２　　位置調整孔
３４１　　　　偏心カム
【図１】
2004112234.tif 000003
【図２】
2004112234.tif 000004
【図３】
2004112234.tif 000005
【図４】
2004112234.tif 000006
【図５】
2004112234.tif 000007
【図６】
2004112234.tif 000008
【図７】
2004112234.tif 000009